(57)【要約】  【課題】  針葉樹林の造成現場等で根株を産業廃棄物にすることなく再利用できる針葉樹の根株の処理方法を提案する。  【解決手段】  伐採後に残された針葉樹根株を、バックホウの油圧機構に設けられたアタッチメント型木割機を用いて小木片に破砕し、集配センターへ送る。破砕された小木片は香り発散材として、集配センターから利用者に配達する。利用者は配達されてきた小木片を、部屋等に配置して香りを発散させる。香りが発散して利用者による使用が終了した後は、小木片を再び集配センターに回収する。回収された小木片は炭焼き機により炭化されて木炭にされる。また、回収された小木片は、さらに粉砕して、製紙原料のパルプに加工したり、畜舎の敷藁の代用品としたり、土と混ぜ合わせて腐葉土の原料としたりすることもできる。【選択図】  図１
2006233022.tif 000002
【特許請求の範囲】
【請求項１】
伐採後に残された針葉樹根株を、バックホウの油圧機構に設けられたアタッチメント型木割機を用いて小木片に破砕し、破砕された小木片を香り発散材として利用者に配達し、利用者による使用が終了した後に小木片を回収し、回収された小木片を炭焼き機により炭化して木炭を製造することを特徴とした針葉樹の根株の処理方法。
【請求項２】
請求項１に記載の針葉樹の根株の処理方法において、
前記アタッチメント型木割機は、バックホウの油圧機構を介してリンク作動する作動アームの先端部に設けた基枢支部に、前後一対の円弧状破砕爪の爪先を噛み違い状態に対向させてその基部を枢支し、前記前後両破砕爪の背後にそれぞれ前後のリンク枢支部を設け、前記後破砕爪側後方の前記作動アームに後枢支部を設け、中間に関節を有するリンクシャフトの一方を前記後枢支部に、他方を前記後リンク枢支部に枢支して、前記基枢支部、後リンク枢支部、関節及び後枢支部の四点から成る平行リンクを形成し、前記前破砕爪側後方の前記作動アームに前枢支部を設け、中間に関節を有するリンクシャフトの一方を前記前枢支部に、他方を前記前リンク枢支部に枢支して、前記基枢支部、前リンク枢支部、関節及び前枢支部の四点から成る平行リンクを形成し、前記前破砕爪の基枢支部と前記前リンク枢支部との間に連動枢支部を設けて連動シャフトの基端部を支持するとともに先端部を前記後破砕爪のリンクシャフトの関節に枢支し、前記前破砕爪のリンクシャフトの関節を前記作動アームに付設した油圧シャフトの先端に枢支して成り、前記油圧シャフトの出没操作で前後の破砕爪の爪先が両方同時に噛み合うように開閉作動するように構成したことを特徴とする針葉樹の根株の処理方法。
【発明の詳細な説明】
【技術分野】
【０００１】
本発明は、檜、杉、松等の針葉樹の根株の処理方法に関し、詳しくは、針葉樹林を宅地等に造成する際の針葉樹の根株を産業廃棄物にすることなく安価に処理する針葉樹の根株の処理方法に関する。
【背景技術】
【０００２】
従来、檜、杉、松等の針葉樹林を宅地、工場用地、道路等に造成する際、伐採した立ち木は、木材として利用可能である。しかし、残った根株は、繊維が複雑に湾曲しているため、木材として利用することができず、その場で焼却処理ができない場合は、抜去して、それを専門の産業廃棄物処理業者に引き渡し、処理費用を支払って処理してもらっている。この処理費用が割高なため、造成工事の費用が高騰するという問題があった。そこで、造成工事の業界では、根株の安価な処理法の提案が望まれていた。なお、従来、用材として利用できない木材の処理方法として、特許文献１に記載の「桧のチップを原料とする芳香薬理材の製法」が提案されている。
【特許文献１】特開平０８−１８２７７０号公報
【発明の開示】
【発明が解決しようとする課題】
【０００３】
しかしながら、上述した「芳香薬理材の製法」は、立ち木の部分の利用方法であるため、根株は対象としていなかった。そこで、本発明は、針葉樹林の造成現場等で根株を産業廃棄物にすることなく再利用できる針葉樹の根株の処理方法を提案することを目的とした。
【課題を解決するための手段】
【０００４】
上記課題を解決するために、本発明に係る針葉樹の根株の処理方法は、伐採後に残された針葉樹根株を、バックホウの油圧機構に設けられたアタッチメント型木割機を用いて小木片に破砕し、破砕された小木片を香り発散材として利用者に配達し、利用者による使用が終了した後に小木片を回収し、回収された小木片を炭焼き機により炭化して木炭を製造することを特徴とした。
【０００５】
また、本発明は、前記アタッチメント型木割機を、バックホウの油圧機構を介してリンク作動する作動アームの先端部に設けた基枢支部に、前後一対の円弧状破砕爪の爪先を噛み違い状態に対向させてその基部を枢支し、前記前後両破砕爪の背後にそれぞれ前後のリンク枢支部を設け、前記後破砕爪側後方の前記作動アームに後枢支部を設け、中間に関節を有するリンクシャフトの一方を前記後枢支部に、他方を前記後リンク枢支部に枢支して、前記基枢支部、後リンク枢支部、関節及び後枢支部の四点から成る平行リンクを形成し、前記前破砕爪側後方の前記作動アームに前枢支部を設け、中間に関節を有するリンクシャフトの一方を前記前枢支部に、他方を前記前リンク枢支部に枢支して、前記基枢支部、前リンク枢支部、関節及び前枢支部の四点から成る平行リンクを形成し、前記前破砕爪の基枢支部と前記前リンク枢支部との間に連動枢支部を設けて連動シャフトの基端部を支持するとともに先端部を前記後破砕爪のリンクシャフトの関節に枢支し、前記前破砕爪のリンクシャフトの関節を前記作動アームに付設した油圧シャフトの先端に枢支して成り、前記油圧シャフトの出没操作で前後の破砕爪の爪先が両方同時に噛み合うように開閉作動するように構成したことを特徴とする。
【発明の効果】
【０００６】
以上述べたように本発明によれば、針葉樹林の造成現場で伐採後に残された針葉樹根株を、バックホウの油圧機構に設けられたアタッチメント型木割機を用いて小木片に破砕することで、根株が産業廃棄物として搬出することなく処理できて、造成工事費の低減が可能となる。また、破砕されて得られた小木片は、幹部分よりも各種香り成分が多く含まれるため、効果に優れた香り発散材として使用できる。また、香り発散材として使用が済んだものは再回収して木炭に焼かれ、脱臭材、肥料、燃料等として再利用が可能となり、極めて環境にやさしい処理システムが構築される。
また、根株を破砕するためのアタッチメント型木割機は、造成現場で使用するバックホウの油圧機構に付設したものであり、新たに、専用の重機を用意する必要がないため、その加工コストが低減される。
【発明を実施するための最良の形態】
【０００７】
以下、図に基づいて本発明の実施形態を説明する。
図１は本発明に係る針葉樹の根株の処理方法を示すフローチャートである。檜、杉、松等の針葉樹が生えている用地を造成する場合は、最初に、それら針葉樹を伐採し、幹の部分は材木として搬出し製材工場等へ送る。後に残った針葉樹の根株は、バックホウの油圧機構に設けられたアタッチメント型木割機を用いて小木片に破砕する（ステップ１）。このアタッチメント型木割機は、造成工事の溝掘削等に使用されるバックホウの油圧機構に設けられたものであり、専用の破砕機を用意する必要はない。このアタッチメント型木割機は、繊維が縦横に入り組んだ根株についても、容易に小木片に破砕することが可能である。このように根株は破砕された時点で、産業廃棄物の対象から外れ単に木片となり、造成現場から搬出することが自由となる。
【０００８】
アタッチメント型木割機に破砕された根株の小木片には、近年注目を浴びているアロマテラピー効果やフィドンチット効果を奏する各種成分が含まれている。特に針葉樹の根株の部分は幹部分よりも、それらの成分が多く含まれている。そこで、本発明では、針葉樹の根株をアタッチメント型木割機により破砕して得られた小木片を、香り発散材として再利用するようにした。すなわち、造成現場で破砕されて得られた小木片を、いったん、集配センターに、輸送し、集配センターから宅配便等を用いて、利用者に配達する（ステップ２）。なお、集配センターに運ばれた小木片のサイズが大きい場合は、加工工場で、さらに細かく粉砕加工して、一定大きさに揃えることも可能である。
【０００９】
所定大きさに揃えられた小木片が配達された利用者は、その小木片を室内等に配置して、小木片に含まれる各種香り成分を発散させ、アロマテラピー効果やフィドンチット効果を利用する（ステップ３）。特に、ヒノキチオノールが含まれる檜の根株を用いた場合は、アロマテラピー効果やフィドンチット効果が大きいとともに、さらに、消臭、防虫、抗菌作用も期待することができる。このようにして、各種香り成分が発散するとともに、水分も蒸発して乾燥し、効果が薄れてきたら、その小木片は、再度、集配センターに回収する（ステップ４）。これらの回収の際に、次に利用する小木片を配達することも可能であり、その場合は集配の効率が向上する。
【００１０】
集配センターに回収された使用済みの小木片は、工場へ送られて炭焼き機により炭化して木炭にされる（ステップ５）。このとき、小木片は、十分に乾燥されているため、炭焼き機で炭化する際の加熱用燃料の使用量が少なくてすむ。得られる炭は、燃料、脱臭剤、吸着剤、土壌改良剤等として再利用することができる。また、集配センターに回収された小木片は、炭焼きに利用するだけでなく、さらに粉砕して、製紙原料のパルプに加工にしたり、畜舎の敷藁の代用品としたり、土と混ぜ合わせて腐葉土の原料としたりすることができる。また、利用者に対して、利用者が小木片を有効に利用できるように、小木片を入れる入れ物、容器を、要望に応じて提供することもできる。
【００１１】
次に、根株を破砕するアタッチメント型木割機について説明する。図２はアタッチメント型木割機の構造を示す斜視図であり、図３はその動作状態を示す説明図である。一般的なバックホウにおいて、図２に示されるように、その油圧機構を介してリンク作動する作動アーム１の先端部１ａに設けた基枢支部２に、前後一対の円弧状破砕爪３、４の基部３ａ、４ａを枢支してその爪先５、６を噛み違い状態に対向させる。前後両破砕爪５、６の背後にそれぞれ前後のリンク枢支部７、８を設け、後破砕爪４側後方の作動アーム１に後枢支部９を設け、中間に関節１０を有するリンクシャフトの一方１１ａを後枢支部９に、他方を後リンク枢支部８に枢支して、基枢支部２、後リンク枢支部８、関節１０及び後枢支部９の四点から成る平行リンクを形成する。
【００１２】
また、前破砕爪３側後方の作動アーム１に前枢支部１２を設け、中間に関節１３を有するリンクシャフトの一方１４ａを前枢支部１２に、他方を前リンク枢支部７に枢支して、基枢支部２、前リンク枢支部７、関節１３及び前枢支部１２の四点から成る平行リンクを形成する。前破砕爪３の基枢支部２と前リンク枢支部７との間に連動枢支部１５を設けて連動シャフト１６の基端部１６ａを支持するとともに先端部１６ｂを後破砕爪４のリンクシャフトの関節1０に枢支し、前破砕爪３のリンクシャフトの関節１３を作動アーム１に付設した油圧シャフト１７の先端１７ａに枢支する。
【００１３】
このように構成されたことで、油圧シャフト１７が出没操作されると、前後の破砕爪３、４の爪先５、６が両方同時に噛み合うように開閉作動する。また、図３の（イ）、（ロ）に示されるように、前破砕爪３、４の爪先５、６の両噛違対向面にストッパー１８、１９を突当たり可能な状態に突設することができる。これにより、図（ロ）に示されように、簡単に爪先５、６の過度の閉め過ぎが防げる。また、図２に示されるように、前破砕爪３、４の爪先５、６を、縦断面が鋭利で幅が先端側で小さくなるエッジ板５ａ、６ａとすると、エッジ板５ａ、６ａが木材に刺さりやすくなる。このように構成されたアタッチメント型木割機は、繊維が縦横に入り組んだ根株についても、容易に小木片に破砕することが可能である。
【００１４】
図４および図５は上述したアタッチメント型木割機の作業状態を示す斜視図である。図４に示されるように、アタッチメント型木割機の爪先５、６が根株Ｒの幹部分を両側から銜えて、繊維の方向に沿って２つに分割している。次に、２つに割られた部分をさらに爪先５、６により二分割していくことを繰り返していくことで、繊維に沿って縦長に細かく分割された木片が得られる。次に、図５に示されるように、その縦長に細かく分割された木片Ｓを、その長さ方向の適当な位置で繊維に交差する方向に、アタッチメント型木割機の爪先５、６で銜えて、２つに分断している。この作業を繰り返すことで、繊維の方向が縦横に入り組んだ根株であっても、細かい木片にすることが可能になる。
【産業上の利用可能性】
【００１５】
本発明は、造成現場に残された針葉樹の根株を処理する以外に、広葉樹の根株についても同様に処理することが可能であり、また木材として利用されない枝についても処理可能である。
【図面の簡単な説明】
【００１６】
【図１】本発明に係る針葉樹の根株の処理方法を示すフローチャートである。
【図２】本発明で使用されるアタッチメント型木割機の構造を示す斜視図である。
【図３】図２の動作状態を示す説明図である。
【図４】アタッチメント型木割機による作業状態を示す斜視図である。
【図５】アタッチメント型木割機による作業状態を示す斜視図である。
【符号の説明】
【００１７】
１  作動アーム
１ａ  作動アームの先端部
２  基枢支部
３  円弧状破砕爪
３ａ  円弧状破砕爪の基部
４  円弧状破砕爪
４ａ  円弧状破砕爪の基部
５  爪先
５ａ  エッジ板
６  爪先
６ａ  エッジ板
７  前リンク枢支部
８  後リンク枢支部
９  後枢支部
１０  関節
１１ａ  リンクシャフトの一方
１１ｂ  リンクシャフトの他方
１２  前枢支部
１３  関節
１４ａ  リンクシャフトの一方
１４ｂ  リンクシャフトの他方
１５  連動枢支部
１６  連動シャフト
１６ａ  連動シャフトの基端部
１６ｂ  連動シャフトの先端部
１７  油圧シャフト
１７ａ  油圧シャフトの先端
１８  ストッパー
１９  ストッパー
Ｒ  根株
Ｓ  木片
【図１】
2006233022.tif 000003
【図２】
2006233022.tif 000004
【図３】
2006233022.tif 000005
【図４】
2006233022.tif 000006
【図５】
2006233022.tif 000007